(57)【要約】      （修正有）【課題】磁気、遠赤外線又は／及び熱エネルギーを発して、体の健康を増進するヘルスバンドを提供する。【解決手段】ヘルスバンド１０は、フレキシブルシート及びフレキシブルシートを被覆するためのフレキシブル層からなる一つ以上の自動巻きシート１２と、各自動巻きシート１２の各フレキシブルシートの両端にそれぞれ設けられる係合部と、一つ以上の機能ユニット１４とを備え、人体に巻着するためのものである。各フレキシブルシートは、巻着時に人体又は衣服に当たる側を内向きとするとき、横断面が内向きカーブを有する金属性ロングシートであり、内向きカーブの反対側が力を受けると自動巻きし、フレキシブルシートが自動巻きするとき、各係合部は互いに対応して係合する。各機能ユニット１４は、フレキシブルシートの内向きカーブの反対側に設けられ、且つフレキシブル層に被覆される。【選択図】図１
0003223835.tif 000002
【実用新案登録請求の範囲】
【請求項１】
フレキシブルシート及び前記フレキシブルシートを被覆するためのフレキシブル層からなる一つ以上の自動巻きシートと、各前記自動巻きシートの各前記フレキシブルシートの両端にそれぞれ設けられる係合部と、一つ以上の機能ユニットとを備え、人体に巻着するためのヘルスバンドであって、
各前記フレキシブルシートは、巻着時に人体又は衣服に当たる側を内向きとするとき、横断面が内向きカーブを有する金属性ロングシートであり、前記内向きカーブの反対側が力を受けると自動巻きし、前記フレキシブルシートが自動巻きするとき、各前記係合部は互いに対応して係合し、
各前記機能ユニットは、前記フレキシブルシートの前記内向きカーブの反対側に設けられ、且つ前記フレキシブル層に被覆され、磁気、遠赤外線又は／及び熱エネルギーを発して、体の健康を増進することを特徴とするヘルスバンド。
【請求項２】
一つ以上のフレキシブルキットを更に備え、
各前記フレキシブルキットは、両端にそれぞれ異なる前記自動巻きシートに係合するための係合穴を有することを特徴とする請求項１に記載のヘルスバンド。
【請求項３】
各前記係合部はそれぞれラッチであることを特徴とする請求項１又は２に記載のヘルスバンド。
【請求項４】
各前記係合部はそれぞれ、前記フレキシブル層の両端の両側に伸ばされるように設けられることを特徴とする請求項３に記載のヘルスバンド。
【請求項５】
各前記自動巻きシート両端の各前記係合部は、各一端はラッチで、各他端は穴付き結束バンドであることを特徴とする請求項１又は２に記載のヘルスバンド。
【請求項６】
各前記機能ユニットは、磁石、遠赤外線焼結体又は／及び電熱部品であることを特徴とする請求項１又は２に記載のヘルスバンド。
【考案の詳細な説明】
【技術分野】
【０００１】
本考案は体によい健康グッズに関し、詳しくはヘルスバンドに関する。
【背景技術】
【０００２】
従来からよく知られているように、体の皮膚に装着される健康グッズは多い。遠赤外線を用いる腰サポーター、電熱シート、ヒートパッド、電熱パッド、ヒーターバンドなどがあり、主に体の痛みなどのある部位の外部に貼り付けまたは装着されて用いられる。これらは持続的に遠赤外線や熱エネルギーを発することにより、血液の流れをよくして痛みなどの不快感を緩和するもので、健康増進に用いられている。
【０００３】
上述のような遠赤外線を用いる腰サポーター、電熱シート、ヒートパッド、電熱パッド、ヒーターバンドなどの健康グッズは一定の効果を有するが、全体的に構造が複雑で、持ち歩きや操作性において比較的不便な点があり、それらを改善しなければならない。
【０００４】
それゆえ、本考案人は健康グッズ分野の研究開発に携わってきた長年の経験を生かし、簡単な構造で、コンパクト且つ持ち歩きやすいヘルスバンドを開発した。これは、前記のような従来品の欠点を解決し、実用的価値を高めることができる。
【考案の概要】
【考案が解決しようとする課題】
【０００５】
本考案は、簡単な構造でコンパクト、人体の任意部位に装着可能であり、それにより、健康増進が可能且つ操作が簡単で使いやすいという、実用的価値のあるヘルスバンドを提供することを目的とする。
【課題を解決するための手段】
【０００６】
前述の目的を達成するため、本考案は、フレキシブルシート及びフレキシブルシートを被覆するためのフレキシブル層からなる一つ以上の自動巻きシートと、各自動巻きシートの各フレキシブルシートの両端にそれぞれ設けられる係合部と、一つ以上の機能ユニットを備える。
該フレキシブルシートは、巻着時に人体又は衣服に当たる側を内向きとするとき、横断面が内向きカーブを有する金属性ロングシートであり、内向きカーブの反対側が力を受けると自動巻きする。該フレキシブルシートが自動巻きするとき、各係合部は互いに対応して係合する。
該機能ユニットは、該フレキシブルシートの内向きカーブの反対側に設けられ、且つフレキシブル層に被覆され、磁気、遠赤外線又は／及び熱エネルギーを発して、体の健康を増進する。
【図面の簡単な説明】
【０００７】
【図１】本考案の第一実施例の斜視図。
【図２】本考案の第一実施例の側面図及びその部分拡大図。
【図３】本考案の第一実施例の使用形態を示す模式図。
【図４】本考案の第二実施例の分解斜視図。
【図５】本考案の第二実施例の使用形態を示す模式図。
【図６】本考案の第三実施例の分解斜視図。
【考案を実施するための形態】
【０００８】
（第一実施例）
以下、本考案の複数の好適な実施例を挙げて、図面とともに、詳しく説明する。
まず、図１と図２に示すように、本考案の第一実施例のヘルスバンド１０は、自動巻きシート１２と複数の機能ユニット１４を備えてなるものである。
該自動巻きシート１２は、フレキシブルシート２２とフレキシブル層２４からなり、該フレキシブルシート２２は、横断面に内向きカーブを有する自動巻き性の金属性ロングシートであり、内向きカーブの反対側が力を受けると、自動巻きする。内向きカーブ側に力を入れるとロングシート状に戻る。該フレキシブル層２４はシリコンなど弾力のある材料で作られ、該フレキシブルシート２２の外側を被覆するように設けられる。
また、その両端にはそれぞれ係合部２４１が設けられ、該係合部は該フレキシブル層２４両端の両側に伸ばされる複数のラッチである。該フレキシブルシート２２が自動巻きする時、二つの係合部２４１が互いに対応して係合する。二つの該係合部２４１の係合位置は変えることができ、該自動巻きシート１２の結束内径を調整できる。
該機能ユニット１４は、それぞれ該フレキシブルシート２２の自動巻き方向とは反対側に設けられ、フレキシブル層２４に被覆されており、磁気、遠赤外線又は／及び熱エネルギーを発する磁石、遠赤外線焼結体又は／及び電熱部品である。このため、体の健康増進によい。
【０００９】
本考案の該ヘルスバンド１０の使用方法、特色と効果は以下のようである。
図３に示すように、ユーザが該ヘルスバンド１０のフレキシブルシート２２の内向きカーブの反対側に力を入れ、該自動巻きシート１２に自動巻きを行なわせ、該ヘルスバンド１０を、腕や二の腕などの位置に装着する。二つの該係合部２４１を係合させることにより、該ヘルスバンド１０を確実に固定可能である。体の皮膚に対して、各該機能ユニット１４より発される磁気、遠赤外線又は／及び熱エネルギーにより、体の健康作りに役立つ。
さらに、ユーザごとにそれぞれ腕や二の腕の太さが異なるため、二つの該係合部２４１の係合位置を変えて該自動巻きシート１２の結束内径を調整し、腕や二の腕に確実に装着する。
【００１０】
（第二実施例）
図４に示すように、本考案は、複数のフレキシブルキット１６を備えていてもよい。このとき、該フレキシブルキット１６は、両側にそれぞれ異なる自動巻きシート１２と係合するための係合穴６１が設けられ、複数のフレキシブルキット１６を自動巻きシート１２と係合することにより、結束可能な内径全体を大きくすることができる。これにより、腕や二の腕よりもさらに径の大きい頭部や腰部などの部位にも装着可能となるため、図５に示すような使用形態にも柔軟に対応できる。
上述の内容から分かるように、本考案が提供するヘルスバンドは、該自動巻きシート、複数の機能ユニットとフレキシブルキットを備え、簡単な構造でコンパクト且つ持ち歩きやすく、体の任意部位に装着可能な結束バンドである。さらに、各該機能ユニットより発される磁気、遠赤外線又は／及び熱エネルギーにより、体の健康増進を実現する。このように、操作が簡単かつ便利に使えるため、実用的価値がある。
【００１１】
（第三実施例）
図６に示すのは、本考案の第二実施例のヘルスバンド３０である。該ヘルスバンド１０の構造とほぼ同様だが、相違点は、該自動巻きシート３２両端の係合部３４の一端が複数のラッチであり、他端が穴付き結束バンドである点である。これにより、該ヘルスバンド３０は、単独で使用することも、あるいは複数の該自動巻きシート３２を係合させて結束内径を大きくして使用することもできる。
【００１２】
一つ特筆すべきこととして、本考案の該自動巻きシート両端の係合部は、上述のように、両端ともラッチ、又は一端がラッチで他端が結束バンドという形態に限らず、マジックテープ（登録商標）、クリップ、隠しボタン又はほぞ継ぎなどの係合形態として設けられてもよい点が挙げられる。また該自動巻きシートの両端の係合に対応して該自動巻きシートの結束内径を調整できる点も本考案の技術範囲に含まれる。
【符号の説明】
【００１３】
（第一実施例）
１０  ・・・ヘルスバンド
１２  ・・・自動巻きシート
１４  ・・・機能ユニット
１６  ・・・フレキシブルキット
２２  ・・・フレキシブルシート
２４  ・・・フレキシブル層
２４１  ・・・係合部
６１  ・・・係合孔
（第二実施例）
３０  ・・・ヘルスバンド
３２  ・・・自動巻きシート
３４  ・・・係合部
【図１】
0003223835.tif 000003
【図２】
0003223835.tif 000004
【図３】
0003223835.tif 000005
【図４】
0003223835.tif 000006
【図５】
0003223835.tif 000007
【図６】
0003223835.tif 000008